(57)【要約】【課題】  ＣＤ又はＤＶＤを収めたプラスチックトレイの差込口からの脱落を、差込口に蓋を設けることなく確実に防止することにより、ＣＤ又はＤＶＤを収めたプラスチックトレイの出し入れを簡単に行うことができるように工夫したＣＤ又はＤＶＤ用収納ケースを提供する。【解決手段】  ＣＤ又はＤＶＤ用プラスチックトレイ１０の底面に、爪片１３を折曲形成した台紙１２を接着する。このプラスチックトレイ１０を収納するケース体１の差込口１Ｚの部分に、引き出したプラスチックトレイ１０の爪片１３に係合して、プラスチックトレイ１０の抜け出しを防止する引掛け片２を設ける。【選択図】    図２
0003112743.tif 000002
【実用新案登録請求の範囲】
【請求項１】
ＣＤ又はＤＶＤを載置したプラスチックトレイを、差込口より差し込んで収納できるように構成したＣＤ又はＤＶＤ用収納ケースであって、
上記プラスチックトレイの外側面で、且つ、収納ケース体の内部に最も深く差し込まれる内端部の部分に、常時外方への弾発力を備えた爪片を設ける一方、上記収納ケース体における差込口の内側縁部分には、ケース体内部より引き出されるプラスチックトレイの爪片に係合して、プラスチックトレイがケース体内部から抜け出ることを防止する引掛け片を設けたことを特徴とするストッパー機能を備えたＣＤ又はＤＶＤ用収納ケース。
【請求項２】
前記プラスチックトレイに貼った台紙の一端部を外側に屈折することにより、常時外方への弾発力を備え、且つ、プラスチックトレイの引出し方向に屈折する爪片を構成する一方、打ち抜き形成された台紙を屈折及び貼り合わせることによって組立てられる前記収納ケース体の表紙又は裏表紙の一側縁で、且つ、組立てられた収納ケース体の差込口を構成する口縁部分に、前記の引掛け片を連設すると共に、この引掛け片を前記プラスチックトレイが引き出されて来るケース体内部に向けて屈折形成したことを特徴とする請求項１に記載のＣＤ又はＤＶＤ用収納ケース。
【請求項３】
一方の表紙（１Ａ）の上下に折り線と天地面を構成する端面片（１Ｃ，１Ｃ）を介して糊代片（１Ｂ，１Ｂ）を連設し、表紙（１Ａ）の一側には折り線と背板片（１Ｄ）を介して他方の表紙（１Ｅ）を連設して、他方の表紙（１Ｅ）の一側には折り線（２Ａ）を介して引掛け片（２）を連設すると共に、上記上下の糊代片（１Ｂ、１Ｂ）を一方の表紙（１Ａ）の上面に平行に折り曲げ、これ等折り曲げた糊代片（１Ｂ，１Ｂ）の表面に糊を付けた後、上記他方の表紙（１Ｅ）を一方の表紙（１Ａ）の上面に折り曲げて、その上下内側面を上下の糊代片（１Ｂ，１Ｂ）に接着することにより、ＣＤ（１１）又はＤＶＤを収めたプラスチックトレイ（１０）を収納できるケース体（１）を構成すると共に、プラスチックトレイ（１０）の底面に接着した台紙（１２）の一端に、折り線（１３Ａ）を介して上記引掛け片（２）に係合自在な爪片（１３）を連設したことを特徴とする請求項１又は２に記載のＣＤ又はＤＶＤ用収納ケース。
【請求項４】
背板（６）の左右両側に夫々折り線（６Ｂ，６Ｂ）を介して一方及び他方の各側板（５，７）を連設し、これ等各側板（５，７）の一側に夫々折り線（５Ｂ１，２Ｅ）を介して一方と他方の左右の折り返し片（５Ｂ，２Ｔ）を連設し、同じく各側板（５，７）の上下両側には夫々折り線（５Ａ１，５Ａ１，７Ａ１，７Ａ１）を介して一方と他方の上下の端面板（５Ａ，５Ａ，７Ａ，７Ａ）を連設し、且つ、上記一方及び他方の各側板（５，７）に連設した上下の各端面板（５Ａ，５Ａ，７Ａ，７Ａ）を各折り線（５Ａ１，５Ａ１，７Ａ１，７Ａ１）の部分で夫々内側に直角に折り曲げ、且つ、両側板（５，７）を各内側面同士が相対向するように、また、他方の側板（７）に連設した上記他方の各端面板（７Ａ，７Ａ）の外側面に、一方の側板（５）に連設した上記一方の各端面板（５Ａ，５Ａ）の内側面が重なるように、各折り線（６Ｂ，６Ｂ）の部分で背板（６）に対して直角に折り曲げて、上記重なった各端面板（５Ａ，５Ａ，７Ａ，７Ａ）同士を貼り合わせ、更に、上記左右の折り返し片（５Ｂ，２Ｔ）を各折り線（５Ｂ１，２Ｅ）の部分で内折りして、各側板（５，７）の内側面に貼り合せることによって、全体を一側に差込口を開口したボックス状に組立て構成して成るＣＤ又はＤＶＤ用収納ケースであって、
前記他方の折り返し片２Ｔの中間部に、長さ方向に間隔をあけて２本の切り込み（２Ｋ，２Ｋ）を入れ、且つ、この切り込み（２Ｋ，２Ｋ）を入れた中間部を前記他方の側板（７）の内側面に貼り合わせずに、折り線（２Ｅ）の部分で内折りすることによって、上記差込口の内側に引掛け片（２）を構成する一方、ＣＤ又はＤＶＤを収めるプラスチックトレイ（１０）の底面に接着した台紙（１２）の一端に、折り線（１３Ａ）を介して上記引掛け片（２）に係合自在な爪片（１３）を連設したことを特徴とする請求項１又は２に記載のＣＤ又はＤＶＤ用収納ケース。
【考案の詳細な説明】
【技術分野】
【０００１】
本考案は、ＣＤ又はＤＶＤをプラスチックトレイに収めた状態のまま収納することができる収納ケースに関するものである。
【背景技術】
【０００２】
従来のＣＤ又はＤＶＤは、例えば特許文献１に記載されているように、全体がプラスチックで造られた開閉蓋付きのケース体を、その収納ケースとして使用していたが、最近では、ＣＤやＤＶＤの内容等を説明した解説文や宣伝文、或いは、装飾用の写真や絵柄等を直接収納ケースに印刷するために、印刷可能な板紙で全体を略ボックス状に造った収納ケースが多く使用されている。
【特許文献１】特開昭５８−１５５８３号公報
【０００３】
図６は、上記従来の収納ケースを示したものであって、符号ＴＫで示したＣＤ又はＤＶＤは、公知のプラスチックトレイＤＦに収納された状態で、全体を板紙を用いて略ボックス状に造られた収納ケースＣＫの内部に収納される仕組みに成っている。尚、図中ＣＦは収納ケースＣＫに形成したプラスチックトレイＤＦ用の差込口を示す。
【考案の開示】
【考案が解決しようとする課題】
【０００４】
しかし、上記従来の収納ケースＣＫは、ＣＤ又はＤＶＤを収めたプラスチックトレイＤＦを、直接差込口ＣＦから出し入れする構成であるため、収納ケースＣＫを手に持った時や、収納ケースＣＫを持ち運んだりしている最中に、プラスチックトレイＤＦが差込口ＣＦから抜け落ちて、ＣＤやＤＶＤを痛めたり紛失したり、或いは、ＣＤ又はＤＶＤを間違った収納ケースに入れて、その所在が解らなくなってしまうような場合があった。
【０００５】
一方、上記差込口ＣＦからのプラスチックトレイＤＦの脱落（抜け出し）は、差込口ＣＦに上蓋を設けることによって解決可能ではあるが、上蓋を設けるとプラスチックトレイＤＦやＣＤ又はＤＶＤの出し入れが面倒になるといった別の問題が発生するため、その対策が望まれていた。
【０００６】
従って本考案の技術的課題は、ＣＤ又はＤＶＤを収めたプラスチックトレイの差込口からの脱落を、差込口に蓋を設けることなく確実に防止することにより、ＣＤ又はＤＶＤを収めたプラスチックトレイの出し入れを簡単に行うことができるように工夫したＣＤ又はＤＶＤ用収納ケースを提供することである。
【課題を解決するための手段】
【０００７】
（１）  上記の技術的課題を解決するために、請求項１に係る考案は、ＣＤ又はＤＶＤを載置したプラスチックトレイを、差込口より差し込んで収納できるように構成したＣＤ又はＤＶＤ用収納ケースであって、上記プラスチックトレイの外側面で、且つ、収納ケース体の内部に最も深く差し込まれる内端部の部分に、常時外方への弾発力を備えた爪片を設ける一方、上記収納ケース体における差込口の内側縁部分には、ケース体内部より引き出されるプラスチックトレイの爪片に係合して、プラスチックトレイがケース体内部から抜け出ることを防止する引掛け片を設けたことを特徴としている。
【０００８】
（２）  また、請求項２に係る考案は、前記プラスチックトレイに貼った台紙の一端部を外側に屈折することにより、常時外方への弾発力を備え、且つ、プラスチックトレイの引出し方向に屈折する爪片を構成する一方、打ち抜き形成された台紙を屈折及び貼り合わせることによって組立てられる前記収納ケース体の表紙又は裏表紙の一側縁で、且つ、組立てられた収納ケース体の差込口を構成する口縁部分に、前記の引掛け片を連設すると共に、この引掛け片を前記プラスチックトレイが引き出されて来るケース体内部に向けて屈折形成したことを特徴としている。
【０００９】
（３）  また、請求項３に係る考案は、 一方の表紙の上下に折り線と天地面を構成する端面片を介して糊代片を連設し、表紙の一側には折り線と背板片を介して他方の表紙を連設して、他方の表紙の一側には折り線を介して引掛け片を連設すると共に、上記上下の糊代片を一方の表紙の上面に平行に折り曲げ、これ等折り曲げた糊代片の表面に糊を付けた後、上記他方の表紙を一方の表紙の上面に折り曲げて、その上下内側面を上下の糊代片に接着することにより、ＣＤ又はＤＶＤを収めたプラスチックトレイを収納できるケース体を構成すると共に、プラスチックトレイの底面に接着した台紙の一端に、折り線を介して上記引掛け片に係合自在な爪片を連設したことを特徴としている。
【００１０】
（４）  更に請求項４に係る考案は、背板の左右両側に夫々折り線を介して一方及び他方の各側板を連設し、これ等各側板の一側に夫々折り線を介して一方と他方の左右の折り返し片を連設し、同じく各側板の上下両側には夫々折り線を介して一方と他方の上下の端面板を連設し、且つ、上記一方及び他方の各側板に連設した上下の各端面板を各折り線の部分で夫々内側に直角に折り曲げ、且つ、両側板を各内側面同士が相対向するように、また、他方の側板に連設した上記他方の各端面板の外側面に、一方の側板に連設した上記一方の各端面板の内側面が重なるように、各折り線の部分で背板に対して直角に折り曲げて、上記重なった各端面板同士を貼り合わせ、更に、上記左右の折り返し片を各折り線の部分で内折りして、各側板の内側面に貼り合せることによって、全体を一側に差込口を開口したボックス状に組立て構成して成るＣＤ又はＤＶＤ用収納ケースであって、前記他方の折り返し片２Ｔの中間部に、長さ方向に間隔をあけて２本の切り込みを入れ、且つ、この切り込みを入れた中間部を前記他方の側板の内側面に貼り合わせずに、折り線の部分で内折りすることによって、上記差込口の内側に引掛け片を構成する一方、ＣＤ又はＤＶＤを収めるプラスチックトレイの底面に接着した台紙の一端に、折り線を介して上記引掛け片に係合自在な爪片を連設したことを特徴としている。
【００１１】
上記（１）〜（４）で述べた各手段によれば、ケース体の差込口の内側に引掛け片が設けられ、ＣＤ又はＤＶＤを収めたプラスチックトレイには、このプラスチックトレイを差込口から引き出すと、上記引掛け片に係合してプラスチックトレイの抜き出しが防止される爪片が設けられているため、比較的簡単な構成により、差込口からのプラスチックトレイの脱落が防止されると共に、これ等引掛け片と爪片の係合によって、プラスチックトレイの抜き出しを、ＣＤ又はＤＶＤの取り出しが円滑に行える位置に係止することができる。
【考案の効果】
【００１２】
以上述べた次第で、本考案に係るＣＤ又はＤＶＤ用収納ケースによれば、ケース体の差込口に引掛け片を設け、ＣＤ又はＤＶＤを収めるプラスチックトレイ側に爪片を設けるだけの比較的簡単な構成により、プラスチックトレイの不測の抜け出しによるＣＤ又はＤＶＤの破損や紛失を防止できると共に、ケース体に対するプラスチックトレイやＣＤ又はＤＶＤの取り違いを防止できるものであって、構成が簡単で実施が容易な点と相俟って、ＣＤ又はＤＶＤ用の収納ケースとしてまことに有益なものである。
【考案を実施するための最良の形態】
【００１３】
以下に、上述した本考案に係るＣＤ又はＤＶＤ用収納ケースの実施の形態を図面と共に説明すると、図１は本考案の全体を示した斜視図であって、図中、１は板紙を折り曲げ及び接着することによって全体が略ケース状に組立てられたケース体で、１Ｚはその差込口、１Ａはケース体１を構成する一方の表紙、１Ｃ，１Ｃはその端面片、１Ｄは背板片を示す。また、１０は符号１１で示したＣＤ又はＤＶＤを収めるプラスチックトレイ、１０ＡはＣＤ又はＤＶＤ１１を嵌め込む凹部、１２はプラスチックトレイ１０の底面に接着した台紙で、プラスチックトレイ１０を引出した時に、この台紙１２に設けた爪片（後述する）が、上記ケース体１の差込口１Ｚの口縁部分に設けた引掛け片（後述する）に係合して、図示した状態以上にプラスチックトレイ１０の引き出しが行えない仕組みに成っている。
【００１４】
図２（Ａ）は、上記のプラスチックトレイ１０をケース体１の内部１Ｈから完全に抜き出した状態（差し込む前の状態）を示した断面図、図２（Ｂ）は上記のプラスチックトレイ１０を差込口１Ｚからケース体１の内部１Ｈに差し込んだ状態を示した断面図、図３はプラスチックトレイ１０の引き出しによって、プラスチックトレイ１０側の爪片１３がケース体１の差込口１Ｚの内側に屈折形成した引掛け片２に係合して、抜き出しが係止されている状態を示した拡大断面図を示す。
【００１５】
上記の図１、図２、図３において、３，４はケース体１の差込口１Ｚの上下面に形成したプラスチックトレイ１０を引き出すための指掛け溝、２Ａは引掛け片２を屈折形成するための折り線、１３Ａは爪辺１３を屈折形成するための折り線、１Ｅはケース体１を構成する他方の表紙であって、上記図１乃至図３を示した収納ケースは、一般的にはＣＤ用として使用されるが、ＤＶＤ用として使用可能であることは勿論である。
【００１６】
図４は、上述したＣＤ用収納ケースの展開図を示したものであって、全体を板紙を打ち抜いて形成されるこの収納ケースは、前記請求項３及び図面に記載の如く、一方の表紙１Ａの上下に折り線と天地面を構成する端面片１Ｃ，１Ｃを介して糊代片１Ｂ，１Ｂを連設し、表紙１Ａの一側には折り線と背板片１Ｄを介して他方の表紙１Ｅを連設して、他方の表紙１Ｅの一側には折り線２Ａを介して引掛け片２を連設すると共に、上記上下の糊代片１Ｂ、１Ｂを一方の表紙１Ａの上面に平行に折り曲げ、これ等折り曲げた糊代片１Ｂ，１Ｂの表面に糊を付けた後、上記他方の表紙１Ｅを一方の表紙１Ａの上面に折り曲げて、その上下内側面を上下の糊代片１Ｂ，１Ｂに接着することにより、ＣＤ１１又はＤＶＤを収めたプラスチックトレイ１０を収納できるケース体１を構成すると共に、プラスチックトレイ１０の底面に接着した台紙１２の一端に、折り線１３Ａを介して上記引掛け片２に係合自在な爪片１３を連設することによって構成される。
【００１７】
更に図５は、一般にＤＶＤ用として開発された収納ケースの展開図を示したものであって、これをＣＤ用として使用可能であることは勿論である。このＤＶＤ用収納ケースは、前記請求項４及び図５に記載の如く、背板６の左右両側に夫々折り線６Ｂ，６Ｂを介して一方及び他方の各側板５，７を連設し、これ等各側板５，７の一側に夫々折り線５Ｂ１，２Ｅを介して一方と他方の左右の折り返し片５Ｂ，２Ｔを連設し、同じく各側板５，７の上下両側には夫々折り線５Ａ１，５Ａ１，７Ａ１，７Ａ１を介して一方と他方の上下の端面板５Ａ，５Ａ，７Ａ，７Ａを連設し、且つ、上記一方及び他方の各側板５，７に連設した上下の各端面板５Ａ，５Ａ，７Ａ，７Ａを各折り線５Ａ１，５Ａ１，７Ａ１，７Ａ１の部分で夫々内側に直角に折り曲げ、且つ、両側板５，７を各内側面同士が相対向するように、また、他方の側板７に連設した上記他方の各端面板７Ａ，７Ａの外側面に、一方の側板５に連設した上記一方の各端面板５Ａ，５Ａの内側面が重なるように、各折り線６Ｂ，６Ｂの部分で背板６に対して直角に折り曲げて、上記重なった各端面板５Ａ，５Ａ，７Ａ，７Ａ同士を貼り合わせ、更に、上記左右の折り返し片５Ｂ，２Ｔを各折り線５Ｂ１，２Ｅの部分で内折りして、各側板５，７の内側面に貼り合せることによって、全体を一側に差込口を開口したボックス状に組立て構成して成るＣＤ又はＤＶＤ用収納ケースであって、前記他方の折り返し片２Ｔの昼間部に、長さ方向に間隔をあけて２本の切り込み２Ｋ，２Ｋを入れ、且つ、この切り込み２Ｋ，２Ｋを入れた中間部を前記他方の側板７の内側面に貼り合わせずに、折り線２Ｅの部分で内折りすることによって、上記差込口の内側に引掛け片２を構成する一方、ＣＤ又はＤＶＤを収めるプラスチックトレイ１０の底面に接着した台紙１２の一端に、折り線１３Ａを介して上記引掛け片２に係合自在な爪片１３を連設することによって構成される。
【００１８】
尚、図５において、６Ａ，６Ａはその外側面を上述した上下の端面板７Ａ，７Ａの内側面に貼り合わせることによって、背板６との間に生じる隙間を塞ぐ舌片を示す。
【図面の簡単な説明】
【００１９】
【図１】本考案に係るＣＤ又はＤＶＤ用収納ケースの全体を示した斜視図。
【図２】（Ａ）はケース体とプラスチックトレイの形状を示した断面図、（Ｂ）はケース体内にプラスチックトレイを差し込んだ状態を示した断面図。
【図３】プラスチックトレイの引き出しによって爪片が引掛け片に係合した状態を示した拡大断面図。
【図４】ＣＤ用として造られた収納ケースの展開図。
【図５】ＤＶＤ用として造られた収納ケースの展開図。
【図６】従来の収納ケースの構成を示した斜視図。
【符号の説明】
【００２０】
１            ケース体
１Ｚ          差込口
２            引掛け片
１０          プラスチックトレイ
１１          ＣＤ又はＤＶＤ
１２          台紙
１３          爪片
【図１】
0003112743.tif 000003
【図２】
0003112743.tif 000004
【図３】
0003112743.tif 000005
【図４】
0003112743.tif 000006
【図５】
0003112743.tif 000007
【図６】
0003112743.tif 000008